(57)【要約】【課題】  本発明は、ファイル管理装置、ファイル管理方法、ファイル管理方法のプログラム及びファイル管理方法のプログラムを記録した記録媒体に関し、例えばビデオディスク装置に適用して、フォルダの作成にユーザーの意図を反映させて簡易にフォルダを作成してファイル管理することができるようにする。【解決手段】  本発明は、フォルダ作成の指示を受け付けるフォルダスイッチの操作により、記録媒体に新たなフォルダを作成して、この作成したフォルダの下に撮像結果を記録する。【選択図】        図１
2005115998.tif 000002
【特許請求の範囲】
【請求項１】
撮像結果をファイルにより記録するファイル管理装置において、
前記撮像結果を取得する撮像手段と、
前記撮像結果を記録媒体に記録する記録手段と、
前記撮像手段、前記記録手段の動作を制御する制御手段とを備え、
前記制御手段は、
フォルダ作成の指示を受け付けるフォルダスイッチの操作により、前記記録媒体に新たなフォルダを作成して、前記撮像手段から得られる撮像結果を該作成したフォルダの下に記録する
ことを特徴とするファイル管理装置。
【請求項２】
前記制御手段は、
電源の立ち上げにより、前記記録媒体に新たなフォルダを作成して、前記撮像手段から得られる撮像結果を該作成したフォルダの下に記録する
ことを特徴とする請求項１に記載のファイル管理装置。
【請求項３】
前記撮像手段は、
前記制御手段の制御により、動画と静止画とで切り換えて前記撮像結果を取得して出力し、
前記制御手段は、
前記動画と静止画とでフォルダを切り換えて、前記撮像結果を記録する
ことを特徴とする請求項１に記載のファイル管理装置。
【請求項４】
前記動画を記録するフォルダが、
動画をまとめるフォルダの下に、前記フォルダスイッチの操作により作成したフォルダであり、
前記静止画を記録するフォルダが、
静止画をまとめるフォルダの下に、前記フォルダスイッチの操作により作成したフォルダである
ことを特徴とする請求項３に記載のファイル管理装置。
【請求項５】
前記動画を記録するフォルダが、
前記フォルダスイッチの操作により作成したフォルダの下に作成した動画をまとめるフォルダであり、
前記静止画を記録するフォルダが、
前記フォルダスイッチの操作により作成したフォルダの下に作成した静止画をまとめるフォルダである
ことを特徴とする請求項３に記載のファイル管理装置。
【請求項６】
再生の指示により、
最新のフォルダの下に記録されたファイルより順次前記記録媒体に記録されたファイルを再生する
ことを特徴とする請求項１に記載のファイル管理装置。
【請求項７】
前記制御手段は、
前記記録媒体に記録された前記ファイルの抜粋情報によるエントリによりインデックスファイルを作成して前記記録媒体に記録し、
前記フォルダスイッチの操作による前記新たなフォルダの作成が、
前記インデックスファイルへの前記新たなフォルダに係るエントリの登録であり、
前記該作成したフォルダの下への前記撮像結果の記録が、
前記フォルダに係るエントリに対応付けられた、前記撮像結果によるファイルに係るエントリの前記インデックスファイルへの登録である
ことを特徴とする請求項１に記載のファイル管理装置。
【請求項８】
撮像結果をファイルにより記録媒体に記録するファイル管理方法において、
フォルダ作成の指示を受け付けるフォルダスイッチの操作により、前記記録媒体に新たなフォルダを作成して、前記撮像結果を該作成したフォルダの下に記録する
ことを特徴とするファイル管理方法。
【請求項９】
コンピュータに所定の処理手順を実行させることにより、撮像結果をファイルにより記録媒体に記録するファイル管理方法のプログラムにおいて、
前記処理手順は、
フォルダ作成の指示を受け付けるフォルダスイッチの操作により、前記記録媒体に新たなフォルダを作成するフォルダ作成のステップと、
前記撮像結果を該作成したフォルダの下に記録する撮像結果記録のステップとを有する
ことを特徴とするファイル管理方法のプログラム。
【請求項１０】
コンピュータに所定の処理手順を実行させることにより、撮像結果をファイルにより記録媒体に記録するファイル管理方法のプログラムを記録した記録媒体において、
前記処理手順は、
フォルダ作成の指示を受け付けるフォルダスイッチの操作により、前記記録媒体に新たなフォルダを作成するフォルダ作成のステップと、
前記撮像結果を該作成したフォルダの下に記録する撮像結果記録のステップとを有する
ことを特徴とするファイル管理方法のプログラムを記録した記録媒体。
【発明の詳細な説明】
【技術分野】
【０００１】
本発明は、ファイル管理装置、ファイル管理方法、ファイル管理方法のプログラム及びファイル管理方法のプログラムを記録した記録媒体に関し、例えばビデオディスク装置に適用することができる。本発明は、フォルダ作成の指示を受け付けるフォルダスイッチの操作により、記録媒体に新たなフォルダを作成して、この作成したフォルダの下に撮像結果を記録することにより、フォルダの作成にユーザーの意図を反映させて簡易にフォルダを作成してファイル管理することができるようにする。
【背景技術】
【０００２】
近年、光ディスク等のランダムアクセス可能な大容量の記録媒体を用いて、撮像結果を記録するディスク装置等が提案されるようになされている。
【０００３】
このような記録装置におけるファイル管理方法について、例えば特開２０００−２０７８７２号公報においては、日付等の期間管理によりフォルダを自動作成して撮像結果等によるファイルを格納する方法が提案されるようになされている。またこのようなフォルダの自動作成によるファイル管理においては、日付に代えて、電源スイッチの立ち上げにより、さらにはデータ量の管理により、フォルダを自動作成して撮像結果等によるファイルを格納する方法も提案されるようになされている。
【０００４】
これに対して例えば特開２００１−８４７０５号公報においては、記録媒体に記録した多数のファイルよりインデックスファイルを作成してこの記録媒体に記録することにより、このインデックスファイルを用いてこれら多数のファイルに係る操作性を向上する方法が提案されるようになされている。
【０００５】
また特開２００２−２７８９９６号公報においては、このようにして作成したインデックスファイルにおいて、各ファイルを階層化して管理することにより、さらに一段とこれら多数のファイルに係る操作性を向上する方法が提案されるようになされている。
【０００６】
ところでフォルダを自動作成するファイル管理方法にあっては、フォルダの作成にユーザーの意図を確実に反映させることが困難であり、これにより実用上未だ不十分な問題がある。
【０００７】
すなわち例えば図９（Ａ）に示すように、この種の記録装置を携帯して１つの記録媒体に往路でのシーンＡ、Ｂ、お祭りのシーンＣ〜Ｅを記録した後、翌日、再びこの記録媒体にお祭りのシーンＦ、Ｇ、復路でのシーンＨ〜Ｊを記録したとする。この場合、往路でのシーンＡ、Ｂを撮影した後、お祭りのシーンＣ〜Ｅを撮影するまでの間、電源が立ち下げられると考えられる。また１日目と２日目との間でも、電源が立ち下げられ、さらにはお祭りのシーンＦ、Ｇを撮影した後、復路でのシーンＨ〜Ｊを撮影するまでの間も電源が立ち下げられると考えられる。
【０００８】
これによりこの場合、電源の立ち上げによりフォルダを自動作成してファイル管理する場合、図９（Ｂ）に示すように、２日に渡るお祭りのシーンＣ〜Ｇが２つのフォルダに別れて記録されることになる。これに対して日付によりフォルダを自動作成してファイル管理する場合、図９（Ｃ）に示すように、２日に渡るお祭りのシーンＣ〜Ｇが２つのフォルダに別れて、それぞれ往路のシーンＡ、Ｂ、復路のシーンＨ〜Ｊと一緒に各フォルダに記録されることになる。データ量の管理によりフォルダを自動作成してファイル管理する場合、図９（Ｄ）に示すように、フォルダ作成に供するデータ量に応じて、細切れにフォルダが作成されたり、各所で撮影したシーンが１つのフォルダにまとめられたりする。
【特許文献１】特開２０００−２０７８７２号公報
【特許文献２】特開２００１−８４７０５号公報
【特許文献３】特開２００２−２７８９９６号公報
【発明の開示】
【発明が解決しようとする課題】
【０００９】
本発明は以上の点を考慮してなされたもので、フォルダの作成にユーザーの意図を反映させて簡易にフォルダを作成してファイル管理することができるファイル管理装置、ファイル管理方法、ファイル管理方法のプログラム及びファイル管理方法のプログラムを記録した記録媒体を提案しようとするものである。
【課題を解決するための手段】
【００１０】
かかる課題を解決するため請求項１の発明においては、撮像結果をファイルにより記録するファイル管理装置に適用して、撮像結果を取得する撮像手段と、撮像結果を記録媒体に記録する記録手段と、撮像手段、記録手段の動作を制御する制御手段とを備え、制御手段は、フォルダ作成の指示を受け付けるフォルダスイッチの操作により、記録媒体に新たなフォルダを作成して、撮像手段から得られる撮像結果を該作成したフォルダの下に記録する。
【００１１】
また請求項８の発明においては、撮像結果をファイルにより記録媒体に記録するファイル管理方法に適用して、フォルダ作成の指示を受け付けるフォルダスイッチの操作により、記録媒体に新たなフォルダを作成して、撮像結果を該作成したフォルダの下に記録する。
【００１２】
また請求項９の発明においては、コンピュータに所定の処理手順を実行させることにより、撮像結果をファイルにより記録媒体に記録するファイル管理方法のプログラムに適用して、処理手順は、フォルダ作成の指示を受け付けるフォルダスイッチの操作により、記録媒体に新たなフォルダを作成するフォルダ作成のステップと、撮像結果を該作成したフォルダの下に記録する撮像結果記録のステップとを有するようにする。
【００１３】
また請求項１０の発明においては、コンピュータに所定の処理手順を実行させることにより、撮像結果をファイルにより記録媒体に記録するファイル管理方法のプログラムを記録した記録媒体に適用して、処理手順は、フォルダ作成の指示を受け付けるフォルダスイッチの操作により、記録媒体に新たなフォルダを作成するフォルダ作成のステップと、撮像結果を該作成したフォルダの下に記録する撮像結果記録のステップとを有するようにする。
【００１４】
請求項１の構成によれば、撮像結果をファイルにより記録するファイル管理装置に適用して、撮像結果を取得する撮像手段と、撮像結果を記録媒体に記録する記録手段と、撮像手段、記録手段の動作を制御する制御手段とを備え、制御手段は、フォルダ作成の指示を受け付けるフォルダスイッチの操作により、記録媒体に新たなフォルダを作成して、撮像手段から得られる撮像結果を該作成したフォルダの下に記録することにより、ユーザーにおいては、単にフォルダスイッチを操作するだけで、フォルダを新たに作成して撮像結果を記録することができ、これによりフォルダの作成にユーザーの意図を反映させて簡易にフォルダを作成することができる。
【００１５】
これにより請求項８、請求項９、請求項１０の構成によれば、フォルダの作成にユーザーの意図を反映させて簡易にフォルダを作成することができるファイル管理方法、ファイル管理方法のプログラム、ファイル管理方法のプログラムを記録した記録媒体を提供することができる。
【発明の効果】
【００１６】
本発明によれば、フォルダの作成にユーザーの意図を反映させて簡易にフォルダを作成することができる。
【発明を実施するための最良の形態】
【００１７】
以下、適宜図面を参照しながら本発明の実施例を詳述する。
【実施例１】
【００１８】
（１）実施例の構成
図２は、本発明の実施例１に係るビデオディスク装置を示すブロック図である。このビデオディスク装置１において、カメラ部２は、ＭＰＵ（Micro Processing Unit ）３の制御により所望の被写体を撮像して得られる撮像結果によるビデオデータをビデオインターフェース（ビデオＩＦ）４に出力する。この処理において、カメラ部２は、ＭＰＵ３の指示により静止画と動画とで切り換えて撮像結果を取得して出力する。表示部５は、液晶表示装置等により構成され、ビデオインターフェース４から出力されるビデオ信号による映像を表示する。ビデオインターフェース４は、撮像結果の記録時においては、カメラ部２から出力されるビデオデータを順次入力してＤＳＰ（Digital Signal Processor）６に出力するのに対し、撮像結果の再生時においては、ＤＳＰ６から出力されるビデオデータを表示部５に出力する。
【００１９】
音声入力部７は、撮像結果の記録時、被写体より音声信号を取得し、この音声信号による音声データをオーディオインターフェース（オーディオＩＦ）８に出力する。音声出力部９は、撮像結果の再生時、オーディオインターフェース８から出力される音声データをアナログ信号に変換してユーザーに提供する。オーディオインターフェース８は、撮像結果の記録時、音声入力部７から入力される音声データをＤＳＰ６に出力するのに対し、撮像結果の再生時、ＤＳＰ６から出力される音声データを音声出力部９に出力する。
【００２０】
ＤＳＰ６は、ＭＰＵ３の制御により動作を切り換え、撮像結果の記録時、ビデオインターフェース４、オーディオインターフェース８からそれぞれ入力されるビデオデータ及び音声データをデータ圧縮して符号化データを生成し、この符号化データを多重化処理することによりビデオデータ及び音声データによるストリーミングデータを生成する。ＤＳＰ６は、このストリーミングデータをメディアインターフェース（メディアＩＦ）１０に出力する。これに対して再生時、メディアインターフェース１０から出力されるストリーミングデータをビデオデータの符号化データと音声データの符号化データに分解した後、それぞれデコードしてビデオインターフェース４、オーディオインターフェース８に出力する。
【００２１】
メディアインターフェース１０は、ＭＰＵ３の制御により、撮像結果の記録時、記録媒体である光ディスク１２にＤＳＰ６から出力されるストリーミングデータを記録するのに対し、再生時、この光ディスク１２に記録されたストリーミングデータを再生してＤＳＰ６に出力する。これによりこのビデオディスク装置１では、動画又は静止画による撮像結果を光ディスク１２に記録し、また光ディスク１２に記録した撮像結果を再生してユーザーに提供できるようになされている。
【００２２】
インターフェース（ＩＦ）１３は、このビデオディスク装置１に設けられた入力手段による操作をＭＰＵ３に通知する。ビデオディスク装置１では、操作パネルに、フォルダスイッチ１４が設けられ、このフォルダスイッチ１４の押圧操作については、このインターフェース１３によりＭＰＵ３に通知されるようになされている。ここでフォルダスイッチ１４は、フォルダの作成の指示を受け付ける操作子であり、このビデオディスク装置１では、このフォルダスイッチ１４の操作によりフォルダ設定モードに動作モードを切り換え、光ディスク１２にフォルダを自動作成すると共に、この作成したフォルダに順次撮像結果によるファイルを記録する。またこのようなフォルダ設定モードにおいては、操作パネルに設けられた発光ダイオードの点灯によりユーザーに通知され、このようにフォルダ設定モードに設定された状態で、フォルダスイッチ１４が操作されると、通常の動作モードに動作を切り換えて事前に設定されたフォルダに撮像結果を記録するようになされている。なおこのビデオディスク装置１では、電源の立ち上げにより、このフォルダ設定モードで動作を立ち上げるようになされ、この場合も、このフォルダスイッチ１４の操作により通常の動作モードに動作を切り換えるようになされている。
【００２３】
ＭＰＵ３は、図３に示すソフトウェア構成による処理プログラムの実行によりこのビデオディスク装置１全体の動作を制御するコンピュータである。ここでこのソフトウェアの構成においては、アプリケーションプログラムの制御に基づいてファイルシステムによる領域管理によりメディアドライバを介して光ディスクをアクセスし、これにより撮像結果を光ディスク１２に記録し、また光ディスク１２に記録した撮像結果を再生する。またこのアプリケーションプログラムの制御によりユーザーインターフェースプログラムを駆動してメニュー画面等を表示し、ＩＯシステムを介してユーザーによる操作をアプリケーションプログラムで検出する。またＳＷドライバにより仮想記憶装置としての機能を担保しながら、ＲＴＯＳ（Real Time Operating System）により各処理を調停する。なおこのＭＰＵ３に係る処理プログラムにおいては、事前のインストールにより提供されるものの、これに代えてネットワークを介してダウンロードしてインストールするようにしてもよく、また記録媒体により再生してインストールするようにしてもよい。ちなみに、このような記録媒体においては、光ディスク、磁気テープ、メモリカード等、種々の記録媒体を広く適用することができる。
【００２４】
ＭＰＵ３は、この処理プログラムの実行によりユーザーにより操作に応動して各部の動作を制御し、これにより、撮像結果を取得して光ディスク１２に記録し、また光ディスク１２に記録した撮像結果を再生してユーザーに提供する。これらの処理において、ＭＰＵ３は、電源の立ち上げにより図４に示す処理手順を実行し、これにより電源の立ち上げをトリガにして新たなフォルダにより撮像結果を記録する。
【００２５】
すなわちＭＰＵ３は、ユーザーにより電源が立ち上げられると、ステップＳＰ１からステップＳＰ２に移り、フォルダ設定モードに全体の動作モードを設定し、操作パネルに設けられたフォルダ設定モードを示す発光ダイオードを点灯する。また光ディスク１２のファイルシステムにより光ディスク１２に記録されたディレクトリ構造を解析し、光ディスク１２に最も最新に作成されている撮像結果の記録に係るフォルダ名を検出する。
【００２６】
ここでこの実施例において、光ディスク１２は、図５に示すように、撮像結果を記録するフォルダ（ＴＭＰ）が形成され、このフォルダの下に、動画による撮像結果をまとめるフォルダ（動画）、静止画による撮像結果をまとめるフォルダ（静止画）がそれぞれ作成され、これら動画及び静止画のフォルダの下に、それぞれフォルダを介して動画及び静止画のファイルが記録される。これにより光ディスク１２では、動画ファイルと静止画ファイルとを個別に管理できるようになされている。
【００２７】
また光ディスク１２は、このように動画及び静止画のフォルダの下に形成されるフォルダが、撮像結果を記録したフォルダであることを示す符号ＤＣＦと、作成順序により順次値が増加する３桁の数字とによるフォルダ名により形成され、さらに各ファイルが、動画ファイル及び静止画ファイルであること示す符号ＦＡＶ及びＦＡＳと、作成順序により順次値が増加する３桁の数字とによるファイル名により形成される。
【００２８】
これによりＭＰＵ３は、この光ディスク１２の動画及び静止画のフォルダにそれぞれ作成されているフォルダ名を検出し、この検出したフォルダ名に設定された３桁の数字により、最も最新のフォルダ名を検出する。
【００２９】
続いてＭＰＵ３は、ステップＳＰ３に移り、ここでこの検出したフォルダ名に係る３桁の数字を歩進し、フォルダ名の符号と共にメモリに記録し、これにより検出したフォルダ名を更新してメモリに一時保持する。
【００３０】
このようにしてフォルダ名を更新すると、ＭＰＵ３は、ステップＳＰ４に移り、ユーザーによる操作子の操作により撮像結果の記録が指示されたか否か判断し、ここで否定結果が得られると、ステップＳＰ５に移る。ここでＭＰＵ３は、電源がオフ操作されたか否か判断し、ここで肯定結果が得られると、ステップＳＰ６に移ってこの処理手順を終了するのに対し、肯定結果が得られると、ステップＳＰ５からステップＳＰ７に移り、ユーザーによるフォルダスイッチ１４の操作によりフォルダ設定モードが解除されたか否か判断する。ここで肯定結果が得られると、ＭＰＵ３は、ステップＳＰ７からステップＳＰ６に移ってこの処理手順を終了するのに対し、否定結果が得られると、ステップＳＰ７からステップＳＰ４に戻る。これによりＭＰＵ３は、電源が立ち下げられない限り、さらにはフォルダスイッチ１４の操作によりフォルダ設定モードが解除されない限り、ステップＳＰ４−ＳＰ５−ＳＰ７−ＳＰ４の処理手順を繰り返し、ユーザーにより撮像結果の記録が指示されると、ステップＳＰ４からステップＳＰ８に移る。
【００３１】
ＭＰＵ３は、このステップＳＰ８において、ファイルシステムを介してメモリに記録してなるフォルダ名によるフォルダを光ディスク１２に作成し、続くステップＳＰ９において、このフォルダ名によるフォルダにパスを設定して撮像結果の記録を指示する。このときＭＰＵ３は、記録に供する撮像結果が動画の場合（図５）、動画のフォルダの下に、このフォルダ名のフォルダを作成して撮像結果を記録するのに対し、記録に供する撮像結果が静止画の場合、静止画のフォルダの下に、このフォルダ名によるフォルダを作成して静止画を記録する。またこのときＭＰＵ３は、ファイル名に係る上述した３桁の数値については、値０００に初期化してファイル名を設定する。
【００３２】
これによりＭＰＵ３は、電源の立ち上げをトリガにしてフォルダを作成して撮像結果を記録し、撮像結果の記録を完了すると、ステップＳＰ６に移ってこの処理手順を終了する。
【００３３】
これに対して通常の動作モードにおいてユーザーによりフォルダスイッチ１４が操作されると、同様にしてフォルダを作成し、この作成したフォルダに撮像結果を記録する。図１は、このフォルダ作成に係る一連の処理手順を示すフローチャートである。ＭＰＵ３は、フォルダスイッチ１４が押圧操作されると、ステップＳＰ１１からステップＳＰ１２に移り、動作モードをフォルダ設定モードに設定し、電源起動時にメモリに保持してなるフォルダ名を、図４のステップＳＰ２について上述したと同様にして更新する。
【００３４】
またこのようにしてフォルダ名を更新すると、ＭＰＵ３は、ステップＳＰ１３に移り、ユーザーによる操作子の操作により撮像結果の記録が指示されたか否か判断し、ここで否定結果が得られると、ステップＳＰ１４に移る。ここでＭＰＵ３は、電源がオフ操作されたか否か判断し、ここで肯定結果が得られると、ステップＳＰ１５に移ってこの処理手順を終了するのに対し、否定結果が得られると、ステップＳＰ１４からからステップＳＰ１６に移り、ユーザーによるフォルダスイッチ１４の操作によりフォルダ設定モードが解除されたか否か判断する。ここで肯定結果が得られると、ＭＰＵ３は、ステップＳＰ１６からステップＳＰ１５に移ってこの処理手順を終了するのに対し、否定結果が得られると、ステップＳＰ１６からステップＳＰ１３に戻る。これによりＭＰＵ３は、撮像結果の記録の指示を待機し、撮像結果の記録が指示されると、ステップＳＰ１３からステップＳＰ１７に移り、ファイルシステムを介してメモリに記録してなるフォルダ名によるフォルダを光ディスク１２に作成し、続くステップＳＰ１８において、このフォルダ名によるフォルダにパスを設定して撮像結果の記録を指示する。この場合もＭＰＵ３は、記録に供する撮像結果が動画の場合（図５）、動画のフォルダの下に、このフォルダ名のフォルダを作成して撮像結果を記録するのに対し、記録に供する撮像結果が静止画の場合、静止画のフォルダの下に、このフォルダ名によるフォルダを作成して静止画を記録する。また、ファイル名に係る上述した３桁の数値については、値０００に初期化してファイル名を設定する。
【００３５】
これによりＭＰＵ３は、フォルダスイッチの操作をトリガにしてフォルダを作成して撮像結果を記録し、撮像結果の記録を完了すると、ステップＳＰ１５に移ってこの処理手順を終了し、ユーザーによる意図を反映させてフォルダを作成するようになされている。
【００３６】
しかしてＭＰＵ３は、これら図１及び図４に示す処理手順の実行により、動画のフォルダ又は静止画のフォルダの何れかに、新たなフォルダを作成すると、以降の動画及び静止画による撮像結果の記録においては、このフォルダにパスを設定してファイルを記録する。またフォルダ作成時に設定したファイル名に係る３桁の数値を順次歩進してファイル名を設定する。これに対して通常の動作モードにおいては、それぞれ動画のフォルダ、静止画のフォルダの直下に、対応する撮像結果によるファイルを記録するようになされている。
【００３７】
これらの処理において、動画のフォルダにフォルダを作成して撮像結果を記録した後、依然フォルダ設定モードに設定された状態で静止画による撮像結果を記録する場合、動画のフォルダに作成したフォルダに対応するフォルダを、記録に供する静止画のフォルダに作成して静止画の撮像結果を記録する。またこのとき静止画についてもファイル名を初期化して連続するファイル名による静止画による撮像結果を記録する。
【００３８】
またこれとは逆に静止画のフォルダにフォルダを作成して撮像結果を記録した後、依然フォルダ設定モードに設定された状態で動画による撮像結果を記録する場合、静止画のフォルダの作成したフォルダに対応するフォルダを、記録に供する動画のフォルダに作成して動画の撮像結果を記録する。またこのとき動画についてもファイル名を初期化して連続するファイル名による動画による撮像結果を記録する。
【００３９】
これに対してＭＰＵ３は、インターフェース１３を介してユーザーにより光ディスク１２に記録された撮像結果の再生が指示されると、光ディスク１２に記録されたファイルの再生をメディアインターフェース１０に指示し、またその結果メディアインターフェース１０から出力されるストリーミングデータの処理をＤＳＰ６等に指示する。これによりこのビデオディスク装置１では、光ディスク１２に記録した撮像結果を表示部５、音声出力部９を介して確認できるようになされている。
【００４０】
この一連の再生に係る処理において、ＭＰＵ３は、ユーザーにより光ディスク１２に記録されたファイルの一覧表示が指示されると、ユーザーによる設定により図５に示すツリー構造により、又は各フォルダ毎に表示領域を区切った一覧により、光ディスク１２に記録されたファイルを一覧表示する。これによりこの実施例においては、ユーザーの意図を反映して作成してなるフォルダによるファイル管理により、ユーザーによるファイルの選択を受け付けるようになされている。
【００４１】
これに対してユーザーが何らファイルを指示しないで撮像結果の再生を指示した場合、ＭＰＵ３は、フォルダ名に基づいて、最も最新に作成されてなるフォルダより順次ファイルを再生してユーザーに提供する。また各フォルダ内においては、ファイル名に基づいて、最新に記録されたファイルより順次ファイルを再生してユーザーに提供する。またこのようにしてファイルを再生している状態で、ユーザーによりスキップの操作子が操作されると、現在再生中のファイルの再生を中止して、次のファイルに再生対象を切り換える。
【００４２】
これによりビデオディスク装置１では、時間軸を遡る順序により光ディスク１２に記録されたファイルを再生するようにして、ユーザーの意図を反映して作成してなるフォルダによるファイル管理により、ユーザーによるファイルの選択操作を簡略化するようになされている。
【００４３】
（２）実施例の動作
以上の構成において、このビデオディスク装置１では（図２）、カメラ部２で取得される動画、静止画による撮像結果が音声入力部７で取得される音声データと共にＤＳＰ６により処理され、メディアインターフェース１０を介して光ディスク１２に記録され、これにより撮像結果がファイル形式により光ディスク１２に記録される。またこのようにして記録した撮像結果が光ディスク１２より再生されてメディアインターフェース１０よりＤＳＰ６に入力され、ここでデコードされて表示部５、音声出力部９から出力される。これによりビデオディスク装置１では、光ディスク１２に記録された撮像結果を再生して確認することができる。
【００４４】
これらの処理において、ビデオディスク装置１では（図５）、動画による撮像結果については、動画のファイルをまとめる動画のフォルダの下に記録され、また静止画による撮像結果については、静止画のファイルをまとめる静止画のフォルダの下に記録され、これにより動画、静止画をそれぞれ個別に管理してユーザーの利便性が向上される。またそれぞれ動画及び静止画のファイルにおいて、一連の番号によるファイル名が設定されて記録され、このファイル名を基準にしてファイル管理できるようになされる。
【００４５】
ビデオディスク装置１では、このような光ディスク１２におけるファイル管理において、ユーザーによりフォルダスイッチ１４が操作された後、撮像結果の記録が指示されると（図１）、撮像結果の指示に係る動画又は静止画に対応して、動画のフォルダ又は静止画のフォルダの下に、新たにフォルダが形成され、このフォルダに撮像結果が記録され、さらに以降の撮像結果の記録においても、この新たに作成したフォルダの下に記録される。またユーザーが撮像結果の記録を動画から静止画に切り換えた場合、これとは逆に静止画から動画に撮像結果の記録を切り換えた場合、これら切り換え先である静止画のフォルダ又は動画のフォルダについても、動画のフォルダ又は静止画のフォルダに対応するフォルダ名により新たなフォルダが作成され、このフォルダの下に撮像結果が記録される。
【００４６】
これによりユーザーにおいては、例えば被写体を切り換える場合、撮影場所が切り換わった場合等において、適宜、フォルダスイッチ１４の操作子を操作するだけの簡易な操作によりフォルダを切り換えて撮像結果を記録することができ、その分、使い勝手を向上することができる。しかしてこのようなフォルダスイッチをトリガにしたフォルダの作成にあっては、ユーザーによる意図によりフォルダを作成する場合であり、これによりこの実施例においては、フォルダの作成にユーザーの意図を反映させ、簡易にフォルダを作成してファイル管理することができるようになされている。
【００４７】
これに対してこのような撮像装置においては、電源を立ち下げて例えば自宅に長期間放置される場合もある。また旅先等にあっては、その日の撮影を終了して翌日撮影を開始するまでの間、電源が立ち下げられる。これらにより電源が立ち上げられた場合にあっては、撮影の区切りと判断することができる。これによりこのビデオディスク装置１では、このようにして電源が立ち上げられた場合にも、フォルダスイッチ１４が操作された場合と同様にしてフォルダを作成して撮影結果が記録される。
【００４８】
これによりビデオディスク装置１では、ユーザーがフォルダスイッチを操作し忘れた場合にあっても、少なくとも電源の立ち上げをトリガにしてフォルダを作成して、ユーザーによるファイル管理を簡略化できるようになされている。
【００４９】
またこのようにしてそれぞれ動画、静止画をまとめる動画のフォルダ、静止画のフォルダの下に、このようなフォルダを作成して動画及び静止画による撮像結果を記録することにより、動画ファイルと静止画ファイルとでフォルダを切り換えて撮像結果を記録するようにして、ユーザーによるファイル管理を一層簡略化できるようになされている。
【００５０】
しかしてこれらによりユーザーによりファイルの表示が指示されると、このビデオディスク装置１では、このようにして設定されてなるフォルダを基準としてファイルが表示され、これによりユーザーにおいては、例えば撮影場所、被写体等を基準にして所望するファイルを選択することができ、ユーザーによる使い勝手を向上することができる。
【００５１】
これに対して何らファイルを選択することなくユーザーが光ディスク１２に記録されたファイルの再生を指示した場合、このビデオディスク装置１では、このようにして作成されてなるフォルダを基準にして、最新のフォルダに記録されたファイルより順次ファイルが再生されてユーザーに提供される。これによりこのビデオディスク装置１では、必要に応じてファイルをスキップさせることにより、所望する撮像結果を簡易かつ迅速に検出することができ、これによってもユーザーの使い勝手を向上することができる。
【００５２】
（３）実施例の効果
以上の構成によれば、フォルダ作成の指示を受け付けるフォルダスイッチの操作により、記録媒体に新たなフォルダを作成して、この作成したフォルダに下に撮像結果を記録することにより、フォルダの作成にユーザーの意図を反映させて簡易にフォルダを作成してファイル管理することができる。
【００５３】
またさらに電源の立ち上げにより、記録媒体に新たなフォルダを作成して、この作成したフォルダの下に撮像結果を記録することにより、ユーザーがフォルダスイッチを操作し忘れた場合でも、撮影の区切りでフォルダを作成することができ、その分、ファイル管理に係るユーザーの使い勝手を向上することができる。
【００５４】
また動画と静止画とでフォルダを切り換えて、撮像結果を記録することにより、動画と静止画とでそれぞれまとめてファイルを管理してファイル管理に係る使い勝手を向上することができる。
【００５５】
またこのような動画と静止画とのフォルダに関して、動画をまとめるフォルダの下に、フォルダスイッチの操作によりフォルダを作成して動画によるファイルを記録することにより、また静止画をまとめるフォルダの下に、フォルダスイッチの操作によりフォルダを作成して静止画によるファイルを記録することにより、動画と静止画とを区別して管理して、動画及び静止画毎に、ユーザーによる意図を反映させたフォルダを作成して撮像結果を記録することができる。
【実施例２】
【００５６】
この実施例２においては、図５について上述した動画のフォルダ、静止画のフォルダ毎にフォルダの作成に代えて、図６に示すように、フォルダスイッチにより作成するフォルダＤＣＦ００１、ＤＣＦ００２、ＤＣＦ００３の下に、撮像結果の記録に対応して動画のフォルダ、静止画のフォルダを作成し、これら動画のフォルダ、静止画のフォルダにそれぞれ動画、静止画による撮像結果を記録する。なおこの実施例においては、このフォルダに係る処理が異なる点を除いて上述の実施例と同一に構成される。
【００５７】
この実施例のように、フォルダ作成の指示を受け付けるフォルダスイッチの操作により、記録媒体に新たなフォルダを作成して、この作成したフォルダの下に撮像結果を記録するようにして、この新たなフォルダの下に動画、静止画をそれぞれまとめるフォルダを作成して撮像結果を記録することにより、実施例１と同一の効果を得ることができ、さらには撮影場所、日付毎によるフォルダによる管理により、静止画及び動画のファイルをまとめて管理することができる。
【実施例３】
【００５８】
この実施例３においては、図２について上述したビデオディスク装置において、インデックスファイルを光ディスク１２に記録し、このインデックスファイルを介して光ディスク１２に記録した各種ファイルを管理する。なおこの実施例に係るビデオディスク装置においては、このインデックスファイルに関連する構成が異なる点を除いて、実施例１に係るビデオディスク装置と同一に構成されることにより、以下の説明においては、適宜、この図２の構成を流用して説明する。
【００５９】
ここでこの実施例において撮像結果は、Quick Time（以下、ＱＴと呼ぶ）ファイルフォーマットにより光ディスク１２に記録される。ここでＱＴフォーマットは、特殊なハードウェアを用いずに動画等を再生するためのＯＳ（Operating System) の拡張機能として生まれたファイルフォーマットである。ＱＴフォーマットは、動画、音声、静止画、文字、ＭＩＤＩ等の種々の形式による実データを１つの時間軸で同期させて再生することができるタイムベースのマルチメディアファイルフォーマットであり、ネットワーク上のストリーミングにも対応できるようになされている。
【００６０】
これによりビデオディスク装置１において、ＤＳＰ６は、記録時、ビデオインターフェース４、オーディオインターフェース８から出力されるビデオデータ、オーディオデータをＱＴフォーマットの形式によりメディアインターフェース１０に出力して光ディスク１２に記録する。また再生時、メディアインターフェース１０から出力されるＱＴフォーマットによる再生データを処理してビデオインターフェース４及びオーディオインターフェース８に出力するようになされている。
【００６１】
これに対応してＭＰＵ３は、このようなＤＳＰ６における記録時、再生時の処理に係る各種情報を取得してＤＳＰ６に出力するようになされている。またＭＰＵ３は、この撮像結果に係るＱＴファイルについては、光ディスク１２に設けられた動画のフォルダ、静止画のフォルダにそれぞれ動画及び静止画に係る撮像結果を記録する。またこのとき各ファイルに順次値の増加する数値を設けてファイル名を設定する。これによりこのビデオディスク装置１では、光ディスク１２上においては、単に動画及び静止画をそれぞれ対応するフォルダにまとめて記録するようになされている。
【００６２】
インデックスファイルは、このようにして光ディスク１２に記録されるＱＴフォーマットによるファイル（以下、ＱＴファイルと呼ぶ）と同様に、光ディスク１２のファイル管理システムにより、記録位置のアドレス、ファイル名、ファイル長等の再生に必要な情報が管理されるファイルであり、光ディスク１２に記録された管理対象であるＱＴファイルの内容を紹介する情報等により構成される。これによりこのビデオディスク装置１では、このインデックスファイルにより光ディスク１２に記録されたＱＴファイルを選択し、この選択したファイルをファイル管理システムに基づいて光ディスク１２から再生することにより、光ディスク１２に多数のＱＴファイルが記録されている場合でも、所望するファイルを迅速かつ正確に選択できるようになされ、その分、操作性を向上できるようになされている。
【００６３】
この実施例において、インデックスファイルは、このＱＴファイルの内容を紹介する情報等にＱＴファイルに係る情報を抜粋した情報（以下、抜粋情報と呼ぶ）等を割り当てて、この抜粋情報のブロックによるエントリの連続により形成され、これにより各ＱＴムービーファイルの内容を簡易かつ迅速に把握できるようになされている。
【００６４】
インデックスファイルは、この抜粋情報によるデータ群がその属性毎に分類されてグループ化され、光ディスク１２に記録するＱＴファイルと同一のファイル構造により作成され、これによりＱＴファイルを作成するビデオディスク装置１の構成を利用して作成し、また処理し得るようになされ、その分、ビデオディスク装置１では構成を簡略化し得るようになされている。
【００６５】
具体的にインデックスファイルは、ＱＴファイルの構成に対応して図７に示すように、実データに係る抜粋情報がグループ化されてテキストエントリファイルＥ１、サムネイル画像エントリファイルＥ２、プロパティエントリファイルＥ３に割り当てられ、これらエントリファイルＥ１〜Ｅ３と、これらエントリファイルＥ１〜Ｅ３の管理情報によるリソースファイル（図示せず）とにより構成される。
【００６６】
ここでリソースファイルは、各エントリファイルＥ１〜Ｅ３におけるスロットの開始位置等の管理情報が、このインデックスファイルの属性情報等と共に記録される。
【００６７】
これに対して各エントリファイルＥ１〜Ｅ３は、それぞれ先頭に、各エントリファイルＥ１〜Ｅ３の属性等を示すヘッダＰＨ、ＴＨＨ、ＴＸＨが設けられ、続いて固定長によるスロットによるエントリが連続するように形成される。
【００６８】
ここでテキストエントリファイルＥ１は、ディスクタイトル、各管理対象ファイル等に係るタイトルの文字列を示すデータが順次スロットに割り当てられて、これらタイトルのデータによるエントリの連続により形成される。これに対してサムネイル画像エントリファイルＥ２は、ディスクタイトル、各管理対象ファイルの内容を示す静止画像によるサムネイル画像が順次スロットに割り当てられて、これらサムネイル画像によるエントリの連続により構成される。
【００６９】
これらテキストエントリファイルＥ１、サムネイル画像エントリファイルＥ２は、各スロットが固定長により形成され、これにより管理対象ファイルより得られる対応する抜粋情報のデータ量に応じて、１つの管理対象ファイルに対して１又は複数個のスロットが割り当てられるようになされている。また管理対象ファイルの種類によっては、抜粋情報の種類が異なることにより、管理対象によっては、何らエントリが設けられない場合もある。
【００７０】
これに対してプロパティエントリファイルＥ３は、ディスクタイトル、各管理対象ファイルの属性を示すデータが割り当てられ、これらディスクタイトル、各管理対象ファイルに設定されたバイナリーデータによる抜粋情報がエントリの管理情報と共に順次スロットに割り当てられて、これら抜粋情報によるエントリの連続により形成される。プロパティエントリファイルＥ３は、テキストエントリファイルＥ１、サムネイル画像エントリファイルＥ２と同様に、各スロットが固定長により形成される。またプロパティエントリファイルＥ３は、管理対象ファイルの種類が種々に異なる場合であっても必ず設けられ、さらにテキストエントリファイルＥ１、サムネイル画像エントリファイルＥ２に設けられたエントリに対応するように各管理対象ファイルのエントリが設定される。
【００７１】
これによりプロパティエントリファイルＥ３は、テキストエントリファイルＥ１、サムネイル画像エントリファイルＥ２に何らエントリが設けられていない場合には、対応する抜粋情報のデータ量に応じて１又は複数個のスロットに１つの管理対象ファイルの抜粋情報が割り当てられるのに対し、例えばテキストエントリファイルＥ１及び又はサムネイル画像エントリファイルＥ２において、１つの管理対象ファイルに対して複数のエントリが設定されている場合、抜粋情報のデータ量の多少にかかわらず、少なくともこの複数個の分は、この管理対象ファイルに対してエントリが設けられるようになされている。インデックスファイルにおいては、このように実データの部分を固定長により構成することにより、記録媒体の無駄な消費を低減し、また記録媒体に対するアクセス回数を低減して処理時間を短くすることができるようになされている。
【００７２】
プロパティエントリファイルＥ３は、各エントリに、他のエントリとの関係を示すエントリの管理情報として、対応する他のエントリファイルのエントリを特定する管理情報（図７において、矢印により示す関連を示す情報である）が設定され、また複数個のスロットによるエントリにあっては、順次続くエントリを特定する拡張スロットに係る管理情報が設定されるようになされている。これによりインデックスファイルは、このプロパティエントリファイルＥ３に設定された他のエントリとの関係を示す管理情報により、１つの管理対象ファイルの抜粋情報を記録してなる複数のスロットを特定できるようになされている。またプロパティエントリファイルＥ３には、対応する管理対象ファイルを特定する情報が設定され、これによりこのインデックスファイルに記録された抜粋情報による管理対象ファイルを特定できるようになされている。
【００７３】
またプロパティエントリファイルＥ３は、それぞれエントリに登録された抜粋情報の有効無効を示す有効無効情報による管理情報が設定される。これによりインデックスファイルは、このプロパティエントリに設けられた有効無効情報の設定だけで、プロパティエントリファイルＥ３、他のエントリファイルＥ１、Ｅ２の対応するエントリをまとめて無効に設定して、管理対象ファイルのインデックスファイルへの登録を削除できるようになされている。
【００７４】
インデックスファイルは、記録媒体上に実在するファイルだけでなく、記録媒体のファイル管理システムによる実在のフォルダ、仮想のフォルダについても、各エントリファイルに登録できるようになされ、各プロパティエントリにおいて、このようなフォルダを登録してなるプロパティエントリに対する階層構造を定義できるようになされている。これによりインデックスファイルは、光ディスク１２に設定されている実在する階層構造によるフォルダ構造により、さらにはこのインデックスファイルにおいて設定された仮想の階層構造によるフォルダ構造により、光ディスク１２に記録されたファイルを管理できるようになされている。
【００７５】
これによりインデックスファイルは、サムネイル画像エントリファイルＥ２によりサムネイル画像をユーザーに提供して、又はテキストエントリファイルＥ１により各ファイルのタイトル等をユーザーに提供して、これらサムネイル画像、タイトルによりファイルの選択を受け付け、この選択されたファイルをプロパティエントリの記述によりファイル管理システムによるファイル名により検出できるようになされ、これらによりユーザーによる操作性を向上できるようになされている。
【００７６】
これらによりこのビデオディスク装置１において、ＭＰＵ３は、ＤＳＰ６よりデータ圧縮された映像データ及び音声データを取得してデコードした後、映像データにおいては、画素の間引きによりサムネイル画像を生成し、このサムネイル画像によりサムネイル画像エントリファイルＥ２を生成するようになされている。また光ディスク１２のファイル管理システムに保持された各管理対象ファイルのファイル情報より、さらにはユーザーの設定によりタイトルのデータを生成し、これによりテキストエントリファイルＥ１を生成するようになされている。これに対してユーザーの操作に応動してプロパティエントリファイルＥ３を作成するようになされ、さらにはこれらのエントリファイルＥ１〜Ｅ３に応じてリソースファイルを作成するようになされている。
【００７７】
具体的に、プロパティエントリファイルＥ３は、図８に示すような設定により階層構造が定義される。なお以下の説明においては、説明の簡略化のために、拡張スロットが設定されていない場合についてのみ示し、またそれぞれフォルダ及びファイルに、対応するスロットのスロット番号を設定して示す。しかしてプロパティエントリのスロットに拡張スロットが存在する場合、他のエントリに対応するスロットが存在する場合にあっては、以下に説明するプロパティエントリのスロットに係る処理が、これら関連するスロットをひとかたまりにして実行される。
【００７８】
プロパティエントリファイルＥ３においては、各スロットをそれぞれ特定するエントリ番号（Entry Number）が設定される。またプロパティエントリファイルＥ３においては、複数のフラグの集合によるエントリプロパティフラグ（Entry Property）が設定される。ここでこのエントリプロパティフラグ（Entry Property）は、各エントリの属性を示す各種情報が設定され、その１つとしてこのスロットがフォルダに対応するものか（0:Folder）、ファイルに対応するものか（1:File）を識別するエントリプロパティフラグが設定されるようになされている。
【００７９】
これにより図８（Ａ）及び（Ｂ）の例では、光ディスク１２のファイル管理システムにより実在するルートフォルダ０には、エントリ番号０によるプロパティエントリが割り当てられ、このプロパティエントリにおいては、エントリプロパティフラグが値０に設定されてフォルダであることを識別できるようになされている。またこのルートフォルダの直近の下階層のフォルダ１、２、ファイル３、４にあっては、それぞれエントリ番号１、２、３、４のプロパティエントリが割り当てられ、それぞれエントリプロパティフラグが値０、値１に設定されてフォルダ、ファイルであることを識別できるようになされている。またフォルダ１の直近の下階層のフォルダ５、ファイル６にあっては、それぞれエントリ番号５、６のプロパティエントリが割り当てられ、それぞれエントリプロパティフラグが値０、値１に設定されてフォルダ、ファイルであることを識別できるようになされ、さらにフォルダ５に属するファイル７にあっては、エントリ番号７のプロパティエントリが割り当てられ、エントリプロパティフラグが値１に設定されてファイルであることを識別できるようになされている。
【００８０】
このようなフォルダ及びファイルに対応するエントリの設定に対して、プロパティエントリファイルＥ３は、他のエントリとの関係を示す管理情報として、対応するファイル又はフォルダが属する直近のフォルダに対応するスロットを指し示す親エントリ番号（Parent Entry Number ）が割り当てられる。これにより図８（Ａ）及び（Ｂ）の例では、それぞれエントリ番号１〜４のエントリにおいては、この親エントリ番号（Parent Entry Number ）が値０に設定されていることにより、これらエントリ番号１〜４によるフォルダ１、２、ファイル３、４がルートフォルダに属することが示されるようになされている。またエントリ番号５、６のエントリにおいては、親エントリ番号（Parent Entry Number ）が値１に設定され、またエントリ番号７のエントリにおいては、親エントリ番号（Parent Entry Number ）が値５に設定されていることにより、それぞれ対応するフォルダ５、ファイル６、ファイル７においては、フォルダ１、フォルダ１、フォルダ５に属することが示されるようになされている。
【００８１】
またこの親エントリ番号によるエントリの指示とは逆に、上位側から下位側を指し示す子エントリ番号も併せて登録され、この子エントリ番号により特定のフォルダに属するファイル等を簡易に検索できるようになされている。しかしてこの場合、エントリ番号０のエントリには、子エントリ番号としてフォルダ１、２、ファイル３、４のエントリを指し示すエントリ番号１、２、３、４が登録され、またエントリ番号１には、子エントリ番号としてフォルダ５、ファイル６のエントリを指し示すエントリ番号５、６が登録され、またエントリ番号５には、エントリ番号７の子エントリ番号が登録されるようになされている。
【００８２】
これらによりインデックスファイルにおいては、ファイル管理システムに実在する階層構造により、さらには仮想の階層構造により、各ファイルを管理できるようになされている。なお、以下において、このような階層構造の定義に係る他のエントリを指し示す情報を階層情報と呼ぶ。
【００８３】
ＭＰＵ３は、このようなプロパティエントリファイルＥ３におけるエントリの設定による仮想の階層構造により、電源の立ち上げ、フォルダスイッチ１４の操作に応じて、図５又は図６について上述した階層構造を構築する。
【００８４】
すなわちＭＰＵ３は、ルートフォルダに属するように階層情報を設定して、テンポラリーに係るエントリをインデックスファイルに登録する。また図５の例では、このテンポラリーに係るエントリによる仮想のフォルダに属するように階層情報を設定して動画、静止画のフォルダによるエントリをインデックスファイルに登録する。これにより撮像結果の管理に係るインデックスファイルを作成し、このインデックスファイルを光ディスク１２に記録して保持する。
【００８５】
またＭＰＵ３は、電源の立ち上げにより、又は光ディスク１２の装填により、メディアインターフェース１０を介して光ディスク１２をアクセスし、このインデックスファイルを再生して内蔵のメモリに各種管理情報を保持する。また電源が立ち上げられた場合にあっては、このようにして各種管理情報をメモリに保持すると、光ディスク１２に現在記録されている最新の撮像結果の記録に係るフォルダのエントリを検出し、このエントリに係るテキストエントリファイルの記述より、又はエントリの登録により、このフォルダのフォルダ名を検出する。またこの検出したフォルダ名を更新し、この更新に係るフォルダ名により、動画、静止画のフォルダによるエントリによる仮想のフォルダに属するように階層情報を設定して仮想のフォルダに係るエントリをインデックスファイルに登録する。またこのフォルダに属するように階層情報を設定して撮像結果に係るファイルのエントリを登録する。
【００８６】
また続く撮像結果の記録にあっては、このようにして作成した仮想のフォルダに属するように階層情報を設定して順次撮像結果に係るファイルをインデックスファイルに登録する。
【００８７】
またユーザーによりフォルダスイッチ１４が操作された場合には、同様にして、フォルダに係るエントリをインデックスファイルに登録し、このエントリに属するように階層情報を設定して撮像結果によるファイルをインデックスファイルに記録する。なお図６の例により階層構造を構築する場合、ＭＰＵ３は、この図６に示す階層構造に対応するようにエントリを設定してインデックスファイルを処理する。
【００８８】
これに対してユーザーがファイルの再生を指示した場合、このインデックスファイルの解析により仮想の階層構造を表示し、この階層構造におけるユーザーの選択により再生対象のファイルの選択を受け付ける。また何らユーザーがファイルを選択しないで再生を指示した場合には、このインデックスファイルの記録により記録順序を遡る順序により順次光ディスク１２に記録されたファイルを再生してユーザーに提供する。
【００８９】
この実施例によれば、インデックスファイルにおける処理により、フォルダスイッチの操作に応動して記録媒体に新たなフォルダを作成し、この作成したフォルダの下に撮像結果を記録するようにしても、フォルダの作成にユーザーの意図を反映させて簡易にフォルダを作成してファイル管理することができる。またこのインデックスファイルにおける撮像結果によるファイルの管理が、光ディスク１２に設定された実在する階層構造とは異なる仮想の階層構造であることにより、他の記録再生装置と高い互換性を有するように光ディスク１２に階層構造を定義して撮像結果を記録しつつ、このビデオディスク装置１のアプリケーションに好適に階層構造を定義することができる。
【実施例４】
【００９０】
なお上述の実施例においては、フォルダスイッチにより動作モードを切り換えて、フォルダ設定モードによりフォルダを作成すると共に撮像結果を記録する場合について述べたが、本発明はこれに限らず、フォルダスイッチによる動作モードの切り換えを省略するようにしてもよい。
【００９１】
また上述の実施例３においては、インデックスファイルを用いた仮想の階層構造によりフォルダを切り換えて撮像結果を記録する場合について述べたが、本発明はこれに限らず、インデックスファイルを用いる場合にあっても実在する階層構造によりフォルダを作成して撮像結果を記録するようにしてもよい。
【００９２】
また上述の実施例３においては、ソースファイルと抜粋情報をまとめたファイルとを別ファイルにしてなるいわゆる外部参照形式によりインデックスファイルを作成する場合について述べたが、本発明はこれに限らず、いわゆる内部参照形式によりインデックスファイルを作成する場合にも広く適用することができ、さらにはＱＴファイルフォーマット以外のフォーマットによりインデックスファイルを作成する場合にも広く適用することができる。
【００９３】
また上述の実施例においては、本発明をビデオディスク装置に適用して撮像結果を記録する場合について述べたが、本発明はこれに限らず、撮像機能を有する携帯電話、ＰＤＡ（Personal Digital Assistants ）等、撮像結果を記録媒体に記録する各種機器に広く適用することができる。
【産業上の利用可能性】
【００９４】
本発明は、例えばビデオディスク装置に適用することができる。
【図面の簡単な説明】
【００９５】
【図１】本発明の実施例１に係るビデオディスク装置におけるＭＰＵの処理手順を示すフローチャートである。
【図２】本発明の実施例１に係るビデオディスク装置を示すブロック図である。
【図３】図２のビデオディスク装置におけるソフトウェア構成を示す図表である。
【図４】図１のＭＰＵの電源立ち上げ時の処理手順を示すフローチャートである。
【図５】図２のビデオディスク装置におけるディレクトリ構造を示す図表である。
【図６】本発明の実施例２に係るビデオディスク装置におけるディレクトリ構造を示す図表である。
【図７】本発明の実施例３に係るインデックスファイルの説明に供する図表である。
【図８】インデックスファイルにおけるファイル管理の説明に供する図表である。
【図９】フォルダによる撮像結果の管理の説明に供する図表である。
【符号の説明】
【００９６】
１……ビデオディスク装置、２……カメラ部、３……ＭＰＵ、６……ＤＳＰ、１２……光ディスク
【図１】
2005115998.tif 000003
【図２】
2005115998.tif 000004
【図３】
2005115998.tif 000005
【図４】
2005115998.tif 000006
【図５】
2005115998.tif 000007
【図６】
2005115998.tif 000008
【図７】
2005115998.tif 000009
【図８】
2005115998.tif 000010
【図９】
2005115998.tif 000011
【手続補正書】
【提出日】平成16年8月30日(2004.8.30)
【手続補正１】
【補正対象書類名】明細書
【補正対象項目名】００２７
【補正方法】変更
【補正の内容】
【００２７】
また光ディスク１２は、このように動画及び静止画のフォルダの下に形成されるフォルダが、撮像結果を記録したフォルダであることを示す符号ＤＣＦと、作成順序により順次値が増加する３桁の数字とによるフォルダ名により形成され、さらに各ファイルが、動画ファイル及び静止画ファイルであることを示す符号ＦＡＶ及びＦＡＳと、作成順序により順次値が増加する３桁の数字とによるファイル名により形成される。
【手続補正２】
【補正対象書類名】明細書
【補正対象項目名】００３０
【補正方法】変更
【補正の内容】
【００３０】
このようにしてフォルダ名を更新すると、ＭＰＵ３は、ステップＳＰ４に移り、ユーザーによる操作子の操作により撮像結果の記録が指示されたか否か判断し、ここで否定結果が得られると、ステップＳＰ５に移る。ここでＭＰＵ３は、電源がオフ操作されたか否か判断し、ここで肯定結果が得られると、ステップＳＰ６に移ってこの処理手順を終了するのに対し、否定結果が得られると、ステップＳＰ５からステップＳＰ７に移り、ユーザーによるフォルダスイッチ１４の操作によりフォルダ設定モードが解除されたか否か判断する。ここで肯定結果が得られると、ＭＰＵ３は、ステップＳＰ７からステップＳＰ６に移ってこの処理手順を終了するのに対し、否定結果が得られると、ステップＳＰ７からステップＳＰ４に戻る。これによりＭＰＵ３は、電源が立ち下げられない限り、さらにはフォルダスイッチ１４の操作によりフォルダ設定モードが解除されない限り、ステップＳＰ４−ＳＰ５−ＳＰ７−ＳＰ４の処理手順を繰り返し、ユーザーにより撮像結果の記録が指示されると、ステップＳＰ４からステップＳＰ８に移る。